(57)【要約】 【課題】  Ｕスリット端子に接続された多数本のケーブル心線の絡まりを防止して、クランプ端子へのケーブル心線の接続作業や後続する配線作業等が困難になるのを回避する。【解決手段】  ケーブル心線Ｗが挟入により接続されるＵスリット端子１１とケーブル心線Ｗが弾圧により接続されるクランプ端子１２とが設けられた端子片１を備えている。端子片１を収容して一面にＵスリット端子１１のみが突出され反対側面にクランプ端子に連通する挿通孔２３ｃが設けられたコネクタブロック２と、端子片１のＵスリット端子１１に接続されるケーブル心線Ｗが配線されるケーブル心線配線部３１と複数個のコネクタブロック２が端子片１のＵスリット１１または挿通孔２３ｃを選択的にケーブル心線配線部３１に向けて整列して取付けられるコネクタブロック取付部３２とが設けられたコネクタベース３とを備えている。【選択図】        図１
2005268063.tif 000002
【特許請求の範囲】
【請求項１】
ケーブル心線が挟入により接続されるＵスリット端子とケーブル心線が弾圧により接続されるクランプ端子とが設けられた端子片を備えたコネクタ装置において、端子片を収容して一面にＵスリット端子のみが突出され反対側面にクランプ端子に連通する挿通孔が設けられたコネクタブロックと、端子片のＵスリット端子に接続されたケーブル心線が配線されるケーブル心線配線部と複数個のコネクタブロックが端子片のＵスリット端子または挿通孔を選択的にケーブル心線配線部に向けて整列して取付けられるコネクタブロック取付部とが設けられたコネクタベースとを備えたことを特徴とするコネクタ装置。
【請求項２】
請求項１のコネクタ装置において、コネクタブロックは端子片のＵスリット端子の突出部分の側部と先端部とを覆う足形のガイド突起が設けられていることを特徴とするコネクタ装置。
【請求項３】
請求項１または２のコネクタ装置において、コネクタベースはコネクタブロック取付部にコネクタブロックの端子片のＵスリット端子が突出された面を受ける受台が設けられていることを特徴とするコネクタ装置。
【請求項４】
請求項１〜３のいずれかのコネクタ装置において、コネクタベースに取付けられたコネクタブロックを覆うカバーを備えていることを特徴とするコネクタ装置。
【発明の詳細な説明】
【技術分野】
【０００１】
本発明は、通信ケーブルの成端等で使用され、現用されている回線を瞬断することなく端子機器の増設，交換等を可能にするコネクタ装置に係る技術分野に属する。
【背景技術】
【０００２】
従来、通信ケーブル等の多数本のケーブル心線に対して無瞬断で接続作業を実施する際に特別な工具，治具等を不要にすることを指向したコネクタ装置としては、例えば、以下に記載のものが知られている。
【特許文献１】特開平１０−２２９５６８号公報  また、特許文献１に係るコネクタ装置の技術をふまえて、接続作業を容易，確実にすることを指向したコネクタ装置としては、例えば、以下に記載のものが知られている。
【特許文献２】特許第３３３６２９９号公報
【０００３】
特許文献２に係るコネクタ装置は、ケーブル心線が挟入により接続されたＵスリット端子とケーブル心線が弾圧により接続されるクランプ端子とが設けられた端子片を備え、端子片はコネクタブロックに収容され、コネクタブロックはコネクタベースに整列して取付けられる。
【発明の開示】
【発明が解決しようとする課題】
【０００４】
特許文献２に係るコネクタ装置では、Ｕスリット端子に接続された多数本のケーブル心線が自由状態で絡まりやすいため、クランプ端子へのケーブル心線の接続作業や後続する配線作業等を困難にするという問題点がある。
【０００５】
本発明は、このような問題点を考慮してなされたもので、Ｕスリット端子に接続された多数本のケーブル心線の絡まりを防止して、クランプ端子へのケーブル心線の接続作業や後続する配線作業等が困難になるのを回避することのできるコネクタ装置を提供することを課題とする。
【課題を解決するための手段】
【０００６】
前述の課題を解決するため、本発明に係るコネクタ装置は、特許請求の範囲の各請求項に記載の手段を採用する。
【０００７】
即ち、請求項１では、ケーブル心線が挟入により接続されるＵスリット端子とケーブル心線が弾圧により接続されるクランプ端子とが設けられた端子片を備えたコネクタ装置において、端子片を収容し一面にＵスリット端子のみが突出され反対側面にＵスリット端子に連通する挿通孔が設けられたコネクタブロックと、端子片のＵスリット端子に接続されたケーブル心線が配線されるケーブル心線配線部と複数個のコネクタブロックが端子片のＵスリット端子または挿通孔を選択的にケーブル心線配線部に向けて整列して取付けられるコネクタブロック取付部とが設けられたコネクタベースとを備えたことを特徴とする。
【０００８】
この手段では、コネクタベースのコネクタブロック取付部に端子片のＵスリット端子が上方に向けられるようにしてコネクタブロックを取付けて、Ｕスリット端子にケーブル心線を接続し、コネクタブロックを反転させてコネクタベースのコネクタブロック取付部に取付けて、コネクタベースのケーブル心線配線部にＵスリット端子に接続されたケーブル心線を整列させた状態としてクランプ端子にケーブル心線を接続する。
【０００９】
また、請求項２では、請求項１のコネクタ装置において、コネクタブロックは端子片のＵスリット端子の突出部分の側部と先端部とを覆う足形のガイド突起が設けられていることを特徴とする。
【００１０】
この手段では、ガイド突起がＵスリット端子のコネクタブロックからの突出を外部圧力等から保護する。
【００１１】
また、請求項３では、請求項１または２のコネクタ装置において、コネクタベースはコネクタブロック取付部にコネクタブロックの端子片のＵスリット端子が突出された面を受ける受台が設けられていることを特徴とする。
【００１２】
この手段では、受台がコネクタブロックのコネクタブロック取付部への取付け深さを規制する。
【００１３】
また、請求項４では、請求項１〜３のいずれかのコネクタ装置において、コネクタベースに取付けられたコネクタブロックを覆うカバーを備えていることを特徴とする。
【００１４】
この手段によると、ケーブル心線の接続部分がカバーで覆われる。
【発明の効果】
【００１５】
本発明に係るコネクタ装置は、コネクタベースのコネクタブロック取付部に端子片のＵスリット端子が上方に向けられるようにしてコネクタブロックを取付けて、Ｕスリット端子にケーブル心線を接続し、コネクタブロックを反転させてコネクタベースのコネクタブロック取付部に取付けて、コネクタベースのケーブル心線配線部にＵスリット端子に接続されたケーブル心線を整列させた状態としてクランプ端子にケーブル心線を接続することになるため、Ｕスリット端子に接続された多数本のケーブル心線の絡まりを防止して、クランプ端子へのケーブル心線の接続作業や後続する配線作業等が困難になるのを回避することができる効果がある。
【発明を実施するための最良の形態】
【００１６】
以下、本発明に係るコネクタ装置を実施するための最良の形態を図面に基づいて説明する。
【００１７】
この形態では、電話回線からなる通信ケーブルでの使用に好適なものが示されている。
【００１８】
この形態は、端子片１，コネクタブロック２，コネクタベース３，カバー４で構成されている。
【００１９】
端子片１は、図４に詳細に示されるように、ケーブル心線Ｗが挟入により接続されるＵスリット端子１１と、ケーブル心線Ｗが弾圧により接続されるクランプ端子１２とが設けられている。Ｕスリット端子１１は、３個のコ字形部分が連続して設けられた端子片本体１３に一体的に形成されている。クランプ端子１２は、端子片本体１３の３個のコ字形部分に別個に形成されて圧入される変形したＳ形の３片のバネ板からなる。
【００２０】
コネクタブロック２は、図１，図５に詳細に示されるように、細長の箱形のケーシング２１と、ケーシング２１の底部を全面的に閉塞する板形の底板２２と、ケーシング２１の天部を部分的に閉塞する小ブロック形の操作ブロック２３とからなる。ケーシング２１は、長手側と平行な隔壁２１ａで２室に区画され、底部の長手側の縁付近に底板２２を係止させるための係止溝２１ｂが設けられ、側部の短手側の上下側にコネクタベース３に係止させるための係止突起２１ｃがそれぞれ設けられ、天部に操作ブロック２３が嵌合される窓２１ｄが開口されている。底板２２は、長手側の縁辺にケーシング２１の係止溝２１ｂに対応した係止突起２２ａが設けられ、短手側の縁辺付近に端子片１のＵスリット端子１１が挿通されるスリット２２ｂが開口され、スリット２２ｂに連続して端子片１のＵスリット端子１１の側部と先端部とを覆う足形のガイド突起２２ｃが突出して設けられている。操作ブロック２３は、底部に端子片１のクランプ端子１２のＳ形の傾斜に対面するテーパ部２３ａが設けられ、天部にマイナスドライバ等の工具が差込まれる操作用溝２３ｂが設けられ、天部，底部を貫通してケーブル心線Ｗが挿入される挿入孔２３ｃが設けられている。
【００２１】
このコネクタブロック２には、ケーシング２１に隔壁２１ａを介して２つの端子片１がＵスリット端子１１の位置を逆にして１対が対称的に収容される。コネクタブロック２に収容された端子片１は、２片のＵスリット端子１１が底板２２のガイド突起２２ｃに一部を覆われて外部に突出し、６片のクランプ端子１２が操作ブロック２３をケーシング２１の窓２１ｄにそれぞれ弾圧させている。
【００２２】
コネクタベース３は、図１，図３に示すように、端子片１のＵスリット端子１１に接続されたケーブル心線Ｗが配線される溝形のケーブル心線配線部３１と、複数個のコネクタブロック２が端子片１のＵスリット端子１１またはコネクタブロック２の操作ブロック２３の挿通孔２３ｃを選択的にケーブル心線配線部３１に向けて整列して取付けられるコネクタブロック取付部３２とからなる。ケーブル心線配線部３１は、ケーブル心線Ｗを無理なく押込み配線しやすい細幅溝３１ａと広幅溝３１ｂとが連続され、コネクタブロック取付部３２（後述の起立片３２ｂ）にケーブル心線Ｗの配線通過を可能にする切込溝３１ｃが設けられている。コネクタブロック取付部３２は、コネクタブロック２の底面である底板２２または天面となる操作ブロック２３を載せるように支える方体形の受台３２ａと、コネクタブロック２のケーシング２１の短手側の側面を挟込むように支える起立片３２ｂとを備え、起立片３２ｂにコネクタブロック２のケーシング２１の係止突起２１ｃに対応した係止溝３２ｃが設けられている。
【００２３】
カバー４は、図６に示すように、コネクタベース３に取付けられたコネクタベース３を覆う上部開放形の箱部４１と、箱部４１に薄肉ヒンジ４２で開閉可能に連結された蓋部４３とからなる。このカバー４は、ケーブル心線配線部３１に対応してケーブル心線Ｗを通過させるための窓が開口されてコネクタベース３に嵌合により装着される。
【００２４】
この形態の使用に際しては、まず、図２に示すように、コネクタベース３のコネクタブロック取付部３２に端子片１のＵスリット端子１１が上方に位置するようにしてコネクタブロック２を取付ける。従って、製品の工場出荷の際に予めこの取付状態に設定しておくのが好ましい。
【００２５】
続いて、コネクタブロック２の上方に突出している端子片１のＵスリット端子１１にケーブル心線Ｗを接続する。このとき、端子片１のＵスリット端子１１のコネクタブロック２からの突出部分の一部がコネクタブロック２の底板２２のガイド突起２２ｃで覆われ外部圧力等から保護されているため、接続の際はもちろんその他の取扱いでもＵスリット端子１１が曲げ損傷することはない。なお、コネクタブロック２の底板２２のガイド突起２２ｃが端子片１のＵスリット端子１１の側部と先端部とを覆うものであるため、ケーブル心線Ｗ，Ｕスリット端子１１の接続に支障を及ぼすことはない。また、コネクタブロック２，コネクタベース３は、コネクタブロック２のケーシング２１の係止突起２１ｃとコネクタベース３のコネクタブロック取付部３２の係止溝３２ｃとの係止で確実に取付状態が保持される。従って、端子片１のＵスリット端子１１へのケーブル心線Ｗの接続の応力でコネクタブロック２がコネクタベース３から離脱することはない。また、コネクタベース３のコネクタブロック取付部３２の受台３２ａにコネクタブロック２の操作ブロック２３が当接して、端子片１のクランプ端子１２の弾性を緩衝材として機能させることも、コネクタブロック２がコネクタベース３から離脱防止に寄与する。
【００２６】
この後、図１に示すように、コネクタブロック２をコネクタベース３から取外して反転させ、コネクタベース３のコネクタブロック取付部３２に操作ブロック２３が上方に位置するようにしてコネクタブロック２を取付ける。
【００２７】
この結果、端子片１のＵスリット端子１１に接続されたケーブル心線Ｗは、コネクタベース３のケーブル心線配線部３１に自動的に配線されて整列される。従って、この後の配線作業等で端子片１のＵスリット端子１１に接続されたケーブル心線Ｗが絡むようなことは起こらない。この取付状態は、前述と同様に、コネクタブロック２のケーシング２１の係止突起２１ｃとコネクタベース３のコネクタブロック取付部３２の係止溝３２ｃとの係止で確実に保持される。
【００２８】
なお、コネクタブロック２のコネクタベース３への取付深さがコネクタベース３のコネクタブロック取付部３２の受台３２ａで規制されるため、コネクタブロック２（端子片１），コネクタベース３の無用な接触損傷が防止され、端子片１のＵスリット端子１１に接続されたケーブル心線Ｗの無用な変形，損傷も防止される。
【００２９】
この後、図３に示すように、コネクタブロック取付部３２の操作ブロック２３を押込んで端子片１のクランプ端子１２を弾性変形させ、操作ブロック２３の挿入孔２３ｃからケーブル心線Ｗを挿入してクランプ端子１２に接続する。そして、使用目的に応じて、端子片１のＵスリット端子１１に接続されたケーブル心線Ｗを切断することになる。
【００３０】
前述の必要な接続，切断等の配線作業が終了した後には、コネクタブロック２，コネクタベース３にカバー４を被せる。
【００３１】
この結果、ケーブル心線Ｗと端子片１のＵスリット端子１１，クランプ端子１２との接続部分が覆われて防塵されるため、付着物等による短絡等を防止することができる。
【００３２】
なお、図７に示すように、コネクタベース３のケーブル心線配線部３１にケーブル心線Ｗを配線しておき、コネクタベース３のコネクタブロック取付部３２に操作ブロック２３が上方に位置するようにしてコネクタブロック２を取付けることで、コネクタベースへのコネクタブロック２の取付けと端子１のＵスリット端子１１へのケーブル心線Ｗの接続とを同時に実施する使用態様を採ることもできる。
【図面の簡単な説明】
【００３３】
【図１】本発明に係るコネクタ装置を実施するための最良の形態の分解状態の一部切断の斜視図である。
【図２】図１の取付状態の断面図である。
【図３】図１の取付状態図である。
【図４】図１の要部の分解拡大図である。
【図５】図１の他の要部の分解拡大図である。
【図６】図１のカバー取付状態の断面図である。
【図７】図１の他の使用形態を示す斜視図である。
【符号の説明】
【００３４】
１            端子片
１１          Ｕスリット端子
１２          クランプ端子
２            コネクタブロック
２２          底板
２２ｃ        ガイド突起
３            コネクタベース
３１          ケーブル心線配線部
３２          コネクタブロック取付部
４            カバー
Ｗ            ケーブル心線
【図１】
2005268063.tif 000003
【図２】
2005268063.tif 000004
【図３】
2005268063.tif 000005
【図４】
2005268063.tif 000006
【図５】
2005268063.tif 000007
【図６】
2005268063.tif 000008
【図７】
2005268063.tif 000009